(57)【要約】【課題】本発明は、小屋裏の遮熱対策を施して制振装置の性能を維持出来る制振装置の小屋裏設置構造を提供することを可能にすることを目的としている。【解決手段】建物１の小屋裏３の床面または梁上部に制振装置４が設けられ、その制振装置４の周囲の少なくとも側面と上面とを発泡系断熱材９，１０により覆って断熱空間１１とし、その断熱空間１１の一部に排気口１２と給気口１３を設け、給気口１３は断熱空間１１の下部とされ、排気口１２または給気口１３の少なくとも一方に換気扇１８を設けて構成したことを特徴とする。【選択図】      図１
2004278128.tif 000002
【特許請求の範囲】
【請求項１】
建物の小屋裏に該建物の振動を制振する制振装置を設置する構造であって、
建物の小屋裏の床面または梁上部に制振装置が設置され、その制振装置の周囲の少なくとも側面と上面とを断熱体により覆って断熱空間とし、その断熱空間に排気口と給気口を設け、該給気口は前記断熱空間の下部とされ、その排気口または給気口の少なくとも一方に換気扇を設けたことを特徴とする制振装置の小屋裏設置構造。
【発明の詳細な説明】
【０００１】
【発明の属する技術分野】
本発明は、建物の小屋裏に該建物の振動を制振する制振装置を設置する構造に関するものである。
【０００２】
【従来の技術】
建物の振動を制振する制振装置は、通常、建物の最上部に設置するのが効果的であるため勾配屋根の建物に制振装置を設置する場合には天井裏か小屋裏に設置するのが一般である。
【０００３】
天井裏は小屋裏と比較して空間的に余裕が無く、納まりが複雑になり、制振装置全体をメンテナンスすることが難しく、設置し得る制振装置自体の大きさも制限されるという問題があるため、小屋裏は天井裏に比べて制振装置を設置するのに適している。従って、小屋裏に制振装置を設置したものが提案されている。また、屋上に制振装置を設置したものも数多くある（例えば、特許文献１参照。）。
【０００４】
【特許文献１】
特開２０００−１２０７７２号公報
【０００５】
【発明が解決しようとする課題】
しかしながら、勾配屋根建物では小屋裏の遮熱対策は難しく、例えば夏期日中の温度は最高６０℃程度まで上昇することがあり、温湿度的にはかなり過酷な環境条件となる。
【０００６】
一方、制振装置として採用される、建物の揺れやすい周期と同調して揺れる振り子を設置した同調振動系型ダンパー（ＴＭＤ；Ｔｕｅｎｅｄ  Ｍａｓｓ  Ｄａｍｐｅｒ）は支持部や減衰部にゴム弾性体やバネ等を用いて構成される場合が多い。また、建物の揺れをセンサーで感知し、コンピュータで最適な制御力を計算して、駆動装置（アクチュエータ）で可動マス（重り）を動かして建物の揺れを小さくする制振力型ダンパー（ＡＭＤ；Ａｃｔｉｖｅ  Ｍａｓｓ  Ｄａｍｐｅｒ）は動力としてモータを必要とし、センサ等の電子部品を用いて構成される場合が多い。
【０００７】
従って、ゴム等を用いるＴＭＤではゴム自体の温度特性の変化により制振装置の特性が変わり、振動を制御出来なくなる等の問題があり、ＡＭＤでは過酷な温湿度が電子部品やモータ等の機械の故障の原因となる。
【０００８】
本発明は前記課題を解決するものであり、その目的とするところは、小屋裏の遮熱対策を施して制振装置の性能を維持出来る制振装置の小屋裏設置構造を提供せんとするものである。
【０００９】
【課題を解決するための手段】
前記目的を達成するための本発明に係る制振装置の小屋裏設置構造は、建物の小屋裏に該建物の振動を制振する制振装置を設置する構造であって、建物の小屋裏の床面または梁上部に制振装置が設置され、その制振装置の周囲の少なくとも側面と上面とを断熱体により覆って断熱空間とし、その断熱空間に排気口と給気口を設け、該給気口は前記断熱空間の下部とされ、その排気口または給気口の少なくとも一方に換気扇を設けたことを特徴とする。
【００１０】
本発明は、上述の如く構成したので、制振装置の設置場所として小屋裏を用いることにより制振装置を設置するのに十分なスペースを確保することが出来、制振装置の大きさが制限されることが無く、制振装置の設置及びメンテナンスが容易である。
【００１１】
また、制振装置を小屋裏内に設置出来るので特殊な納まりが不要であり、断熱材、照明、配線、配管やブレース、梁等の設備や構造部材等と干渉することがない。
【００１２】
また、小屋裏の床面または梁上部に設置された制振装置の周囲の少なくとも側面と上面とを断熱体により覆って断熱空間とし、給気口から例えば室内空気を取り入れることで、小屋裏の温度変化に関係なく制振装置の温度の上昇を抑えることが出来る。
【００１３】
また、制振装置が設けられた断熱空間に排気口と給気口を設けたことで該断熱空間内の換気をすることが出来る。また、給気口を断熱空間の下部としたことで小屋裏の下階の空調された部屋の室内空気を取り入れることが出来、制振装置が設けられた断熱空間内の温度を適温、適湿にすることが出来る。
【００１４】
また、排気口または給気口の少なくとも一方に換気扇を設けたことで制振装置が設けられた断熱空間内を強制的に換気して適温、適湿を安定して維持することが出来る。
【００１５】
前記小屋裏の床面または梁上部に設置された制振装置の周囲の少なくとも側面と上面とを覆う断熱体は、例えば、発泡系断熱材により構成することが出来る。発泡系断熱材は自立出来る強度を有するため簡単な構成で構造体とすることが出来、制振装置の周囲に断熱空間を容易に形成することが出来る。
【００１６】
また、断熱体は断熱空間内の制振装置をメンテナンスするためのメンテナンス口を設けたり、断熱体を複数の部品に分割出来るか、若しくは着脱出来るように構成すれば好ましい。
【００１７】
また、制振装置は建物の重心近くに配置すれば良い。また、断熱空間内の温度や湿度を検出するセンサを設け、そのセンサに検出された温度や湿度に基づいて換気扇を駆動する制御部を設ければ好ましい。
【００１８】
【発明の実施の形態】
図により本発明に係る制振装置の小屋裏設置構造の一実施形態を具体的に説明する。図１は本発明に係る制振装置の小屋裏設置構造を示す断面説明図、図２は本発明に係る制振装置の小屋裏設置構造の他の例を示す模式断面図である。
【００１９】
図１において、１は勾配屋根２を有する建物であり、該建物１の小屋裏３で重心近くには建物１の振動を制振するための制振装置４が小屋裏３の床面或いは梁上部に設置されている。
【００２０】
本実施形態の制振装置４は天井梁５の上部に固定された構造用合板６に積層ゴム７を介して重錘８が取り付けられており、重錘８が建物１の揺れる周期と同調して揺れることで該建物１の振動を減衰させる同調振動系型ダンパー（ＴＭＤ；Ｔｕｅｎｅｄ  Ｍａｓｓ  Ｄａｍｐｅｒ）として構成される。
【００２１】
制振装置４の周囲の少なくとも側面と上面とを断熱体となる発泡系断熱材９，１０により覆って断熱空間１１とし、その断熱空間１１の一部に排気口１２と給気口１３とが設けられている。
【００２２】
断熱空間１１を構成する発泡系断熱材９，１０は、例えば板厚６０ｍｍ程度のものを使用して自立出来る強度を有しており、発泡系断熱材９，１０相互の当接部を接着したり接着テープを貼着して接続することで簡単な構成で自立する構造体とすることが出来、制振装置４の周囲に断熱空間１１を容易に形成することが出来る。従って、断熱体を支持するために別途、枠体等の支持部材を用意する必要が無い。
【００２３】
また、発泡系断熱材９，１０は断熱空間１１内の制振装置４をメンテナンスするためのメンテナンス口を設けたり、発泡系断熱材９，１０を複数の部品に分割出来るか、若しくは着脱出来るように適宜構成することが出来る。
【００２４】
構造用合板６の下面で天井梁５の間には断熱体となる発泡系断熱材１４が貼着されている。天井梁５の下部には天井下地材１５が図示しない支持部材により吊り下げて支持されており、該天井下地材１５の下面に下階の天井材１６が取り付けられている。天井下地材１５の上部には下階の断熱材としてロックウール１７が敷設されている。
【００２５】
制振装置４の下部には、構造用合板６、発泡系断熱材１４、ロックウール１７及び天井材１６を切り欠く等により開口して断熱空間１１の下部にダクト２１を設けた給気口１３が形成されており、その給気口１３には給気用の換気扇１８が設けられている。
【００２６】
本実施形態の排気口１２は発泡系断熱材９，１０の接合部の一部を切り欠く等により開口して断熱空間１１の上部に形成したものであり、この排気口１２に排気用の換気扇を取り付けることでも良い。
【００２７】
また、断熱空間１１内には、該断熱空間１１内の温度や湿度を検出するセンサ付きスイッチ１９が設けられており、そのセンサ付きスイッチ１９により検出された温度や湿度に基づいて図示しない制御部により換気扇を駆動／停止させる。図１中、２０は小屋裏点検口であり、この小屋裏点検口２０を利用して制振装置４等の点検を行うことが出来る。
【００２８】
上記構成によれば、制振装置４の設置場所として小屋裏３を用いることにより制振装置４を設置するのに十分なスペースを確保することが出来、制振装置４の大きさが制限されることが無く、制振装置４の設置及びメンテナンスが容易である。
【００２９】
また、制振装置４を小屋裏３の床面または梁上部に設置出来るので特殊な納まりが不要であり、断熱材、照明、配線、配管やブレース、梁等の設備や構造部材等と干渉することがない。
【００３０】
また、小屋裏３の床面または梁上部に設置された制振装置４の周囲の少なくとも側面と上面とを断熱体である発泡系断熱材９，１０により覆って断熱空間１１としたことで、小屋裏３の温度変化に関係なく制振装置４の温度の上昇を抑えることが出来る。また、制振装置４の下面は室内側であれば遮熱する必要が無い。
【００３１】
また、制振装置４が設けられた断熱空間１１の一部に排気口１２と給気口１３を設けたことで該断熱空間１１内の換気をすることが出来る。また、給気口１３を断熱空間１１の下部としたことで小屋裏３の下階の空調された部屋の室内空気を取り入れることが出来、制振装置４が設けられた断熱空間１１内の温度を適温、適湿にすることが出来る。
【００３２】
特に本実施形態では給気口１３を制振装置４の下部に配置したことで断熱空間１１を制振装置４の大きさと略同程度の大きさで構成することが出来、気密居室の２４時間換気量であれば断熱空間１１内の換気を十分まかなうことが出来る。また、断熱空間１１の容積が小さくなれば少ない給気量で換気回数を増やすことが出来、断熱空間１１内の温度管理も効果的に出来、発泡系断熱材９，１０も最小限の大きさで済む。
【００３３】
また、排気口１２または給気口１３の少なくとも一方に換気扇１８を設けたことで制振装置４が設けられた断熱空間１１内を強制的に換気して適温、適湿を安定して維持することが出来る。
【００３４】
尚、前記実施形態では、給気口１３を断熱空間１１の下部に配置して、小屋裏３の下階の空調された部屋の室内空気を給気口１３から断熱空間１１内に取り入れ、排気口１２から小屋裏３に排気するように構成したが、居室以外の軒裏等から空気を供給し、小屋裏３に排気するように構成しても良い。
【００３５】
次に図２（ａ），（ｂ）を用いて本発明に係る制振装置の小屋裏設置構造の他の実施形態について説明する。尚、前記実施形態と同様に構成したものは同一の符号を付して説明を省略する。
【００３６】
図２（ａ）は給気口１３を断熱空間１１の下部ではあるが、制振装置４から外れた位置に設けた場合の一例である。前記実施形態では、図１に示すように、制振装置４の重錘８の下面と構造用合板６との間の隙間を通気出来る程度に確保するために積層ゴム７をある程度高くしなければならないが、本実施形態の場合、制振装置４の重錘８の下面と構造用合板６との間の隙間を大きくとらなくても済む。しかしながら、給気口１３が制振装置４からずれた位置にあるため断熱空間１１が大きくなり、断熱空間１１内の温度管理が多少能率的でなく、発泡系断熱材９，１０も大型化する。
【００３７】
図２（ｂ）は図２（ａ）の変形例であり、給気口１３と排気口１２を断熱空間１１の下部ではあるが、制振装置４から外れた位置に設けた場合の一例である。本実施形態では、小屋裏３の下階の空調された部屋の室内空気を給気口１３から断熱空間１１内に取り入れ、排気口１２から同じく小屋裏３の下階の空調された部屋に排気するように構成したものである。他の構成は前記実施形態と略同様に構成され、同様な効果を得ることが出来るものである。
【００３８】
【発明の効果】
本発明は、上述の如き構成と作用とを有するので、小屋裏の遮熱対策を施して制振装置の性能を維持出来る制振装置の小屋裏設置構造を提供することが出来る。
【００３９】
即ち、制振装置の設置場所として小屋裏を用いることにより制振装置を設置するのに十分なスペースを確保することが出来、制振装置の大きさが制限されることが無く、制振装置の設置及びメンテナンスが容易である。
【００４０】
また、制振装置を小屋裏内に設置出来るので特殊な納まりが不要であり、断熱材、照明、配線、配管やブレース、梁等の設備や構造部材等と干渉することがない。
【００４１】
また、小屋裏の床面または梁上部に設置された制振装置の周囲の少なくとも側面と上面とを断熱体により覆って断熱空間とし、給気口から例えば室内空気を取り入れることで、小屋裏の温度変化に関係なく制振装置の温度の上昇を抑えることが出来る。
【００４２】
また、制振装置が設けられた断熱空間に排気口と給気口を設けたことで該断熱空間内の換気をすることが出来る。また、給気口を断熱空間の下部としたことで小屋裏の下階の空調された部屋の室内空気を取り入れることが出来、制振装置が設けられた断熱空間内の温度を適温、適湿にすることが出来る。
【００４３】
また、排気口または給気口の少なくとも一方に換気扇を設けたことで制振装置が設けられた断熱空間内を強制的に換気して適温、適湿を安定して維持することが出来る。
【図面の簡単な説明】
【図１】本発明に係る制振装置の小屋裏設置構造を示す断面説明図である。
【図２】本発明に係る制振装置の小屋裏設置構造の他の例を示す模式断面図である。
【符号の説明】
１…建物
２…勾配屋根
３…小屋裏
４…制振装置
５…天井梁
６…構造用合板
７…積層ゴム
８…重錘
９，１０…発泡系断熱材
１１…断熱空間
１２…排気口
１３…給気口
１４…発泡系断熱材
１５…天井下地材
１６…天井材
１７…ロックウール
１８…換気扇
１９…センサ付きスイッチ
２０…小屋裏点検口
２１…ダクト
【図１】
2004278128.tif 000003
【図２】
2004278128.tif 000004